(57)【特許請求の範囲】
【請求項１】
互いに隔てられた上流側管路と下流側管路との境界に設けられる整圧装置であって、
入口側が前記上流側管路に接続され、出口側が前記下流側管路に接続されると共に、狭管部を有する流路と、前記流路の狭管部より下流側に接続された第１の管路と、前記流路で前記第１の管路に対して下流側に接続された第２の管路と、前記第１の管路および第２の管路の他端が接続されると共に、前記第１の管路を通じて前記流路の狭管部におけるガスの圧力、および、第２の管路を通じて前記下流側管路のガスの圧力を感知する第１の圧力感知部と、前記第１の圧力感知部によって感知された圧力を基に前記下流側管路に送出するガスの圧力を第１の設定圧力値に保つ調整弁部とを有する第１の弁手段と、
一端が前記流路の入口側に設けられた第３の管路と、前記第３の管路の他端に設けられると共に、第３の管路を通じて前記上流側管路のガス圧力を感知する第２の圧力感知部と、第２の圧力感知部によって感知された圧力を基に、前記第１の管路のガスの流路面積を調整する流量調整弁部とを有する第２の弁手段と、
前記第２の管路を通じて、前記下流側管路の圧力変動を感知する第３の圧力感知部と、前記第３の圧力感知部が第１の設定圧力値より大きな第２の設定圧力値より小さい圧力を感知すると下流側管路からのガスを遮断し、前記第３の圧力感知部が第２の設定圧力値以上の圧力を感知すると、遮断した状態から遮断していない状態への復帰を自動的に行う流量制御弁部とを有する第３の弁手段と
を備えたことを特徴とする整圧装置。
【請求項２】
前記第１の弁手段は、更に、前記第１の圧力感知部が前記第２の設定圧力値より大きな第３の設定圧力値以上の圧力を感知すると、前記調整弁部に替わり作動して前記上流側管路からのガスを遮断し、前記第１の圧力感知部が第３の設定圧力値より低い圧力を感知すると、遮断した状態から遮断していない状態への復帰を自動的に行う遮断弁部とを有する
ことを特徴とする請求項１記載の整圧装置。
【発明の詳細な説明】
【０００１】
【産業上の利用分野】
本発明は、上流側管路から下流側管路へのガスの送出圧力を調整するための整圧装置に係り、特に下流側管路で異常昇圧の発生を抑制する機能を有する整圧装置に関する。
【０００２】
【従来の技術】
整圧装置は、上流側管路のガスの圧力変動や負荷流量に関係なく、下流側管路内のガスの圧力を所定の圧力値となるように調整するものである。
【０００３】
図５は、従来の整圧装置１００の概略構成を表す断面図である。この整圧装置１００は、ガバナ１１３と流量制御部１１５により構成されている。ガバナ１１３は、本体部１２１の中に流路１２２を備えている。流路１２２は、その入口１２２ａ側が上流側管路１１１と接続され、出口１２２ｂ側が下流側管路１１２とそれぞれ接続されている。この流路１２２の出口１２２ｂ側には下流側のガスの圧力を低下させるために狭管部１２２Ｃが設けられている。流路１２２には、下流側管路１１２のガスの圧力を所定の圧力値Ｐ１  に保つための調整弁部１３１が設けられている。調整弁部１３１の上方には、調整弁部１３１を駆動するための駆動部１４０と、この駆動部１４０を制御するための圧力感知部１５０とが設けられている。圧力感知部１５０には、一端が流路１２２の狭管部１２２Ｃより下流側に接続された管路１５６、および、一端が流路１２２で管路１５６より下流側に接続された管路１５８がそれぞれ接続されている。管路１５８には流量制御部１１５が設けられている。流量制御部１１５は、下流側管路１１２のガスが圧力値Ｐ１  よりも大きな設定圧力値Ｐ２  以上になると、その流量制御弁部１７２により下流側管路１１２からのガスを伝達するようになっている。
【０００４】
この整圧装置１００では、通常時、流路１２２の狭管部１２２Ｃで低下したガスの圧力が管路１５７が通じてガバナ１１３の圧力感知部１５０で感知され、この感知された圧力を基に、駆動部１４０を介して調整弁部１３１の開度が制御され、下流側管路１１２のガスの圧力が所定の圧力値Ｐ１  となるように調整される。
【０００５】
ところで、この整圧装置１００では、上流側管路１１１のガスの圧力が上昇しても、前述したように流路１２２の狭管部１２２Ｃの作用により、ガバナ１３で調整弁部１３１の開度が大きくなり、下流側管路１１２のガスの圧力が更に上昇するというように正帰還が生じてしまい、異常昇圧が起こってしまう。そこで、下流側管路１１２のガスが設定圧力値Ｐ２  以上になると、通常時は閉じている流量制御部１１５の流量制御弁部１７２が開いて、管路１５７を通じて狭管部１２２Ｃよりも高い、下流側管路１１２のガスの圧力も圧力感知部１５０に感知されるようになる。この感知された高い圧力を基に、駆動部１４０によって駆動されることにより調整弁部１３１の開度が小さくなるように制御される。これにより、下流側管路１１２のガスの圧力が圧力値Ｐ１  となるように調整されて、下流側管路１１２内で異常昇圧の発生が防止されるようになっている。
【０００６】
【発明が解決しようとする課題】
しかしながら、このような従来の整圧装置１００では、上流側管路１１１のガスの圧力が低い場合にはガバナ１１３で昇圧量を大きくし、逆に上流側管路１１１のガスの圧力が高い場合には、昇圧量を小さくする必要があり、上流側管路１１１における圧力変動に対応できないという問題があった。特に、上流側管路１１１の圧力が高い場合には、応答性を確保し、安定した特性を得るために、流量制御部１１５における流量制御弁部１７２の大口径化が必要であった。
【０００７】
本発明はかかる問題点に鑑みてなされたもので、その目的は、上流側管路のガスの圧力変動に柔軟に対応することができると共に、これにより下流側管路の異常昇圧を容易に防止することができ、装置の小型化を図ることが可能となる整圧装置を提供することにある。
【０００８】
【課題を解決するための手段】
請求項１記載の整圧装置は、互いに隔てられた上流側管路と下流側管路との境界に設けられるものであって、入口側が上流側管路に接続され、出口側が下流側管路に接続されると共に、狭管部を有する流路と、流路の狭管部より下流側に接続された第１の管路と、流路で第１の管路に対して下流側に接続された第２の管路と、第１の管路および第２の管路の他端が接続されると共に、第１の管路を通じて流路の狭管部におけるガスの圧力、および、第２の管路を通じて下流側管路のガスの圧力を感知する第１の圧力感知部と、第１の圧力感知部によって感知された圧力を基に下流側管路に送出するガスの圧力を第１の設定圧力値に保つ調整弁部とを有する第１の弁手段と、一端が前記流路の入口側に設けられた第３の管路と、第３の管路の他端に設けられると共に、第３の管路を通じて上流側管路のガス圧力を感知する第２の圧力感知部と、第２の圧力感知部によって感知された圧力を基に、第１の管路のガスの流路面積を調整する流量調整弁部とを有する第２の弁手段と、第２の管路を通じて、下流側管路の圧力変動を感知する第３の圧力感知部と、第３の圧力感知部が第１の設定圧力値より大きな第２の設定圧力値より小さい圧力を感知すると下流側管路からのガスを遮断し、第３の圧力感知部が第２の設定圧力値以上の圧力を感知すると、遮断した状態から遮断していない状態への復帰を自動的に行う流量制御弁部とを有する第３の弁手段とを備えたを備えたものである。
【０００９】
この整圧装置では、第１の弁手段において、第１の圧力感知部によって、第１の管路を通じて流路の狭管部のガスの圧力変動、および、第２の管路を通じて下流側管路のガスの圧力変動が感知され、調整弁部によって、この感知された圧力を基に下流側管路に送出するガスの圧力が第１の設定圧力値に保たれる。第２の弁手段において、第２の圧力感知部によって、第３の管路を通じて上流側管路のガス圧力が感知され、この感知された圧力を基に、流量調整弁部によって第１の管路のガスの流路面積が調整される。第３の弁手段において、第３の圧力感知部によって、第２の管路を通じて下流側管路の圧力変動が感知され、第３の圧力感知部で第１の設定圧力値より大きな第２の設定圧力値より小さい圧力が感知された場合には、下流側管路からのガスを遮断する。そして、第３の圧力感知部で第２の設定圧力値以上の圧力が感知されると、遮断した状態から遮断していない状態への復帰が自動的に行われる。
【００１０】
請求項２記載の整圧装置は、請求項１記載の第１の弁手段が、更に、第１の圧力感知部が第２の設定圧力値より大きい第３の設定圧力値以上の圧力を感知すると、調整弁部に替わり作動して上流側管路からのガスを遮断し、第１の圧力感知部が第３の設定圧力値より低い圧力を感知すると、遮断した状態から遮断していない状態への復帰を自動的に行う遮断弁部を有するものである。
【００１１】
この整圧装置では、第１の圧力感知部が第２の設定圧力値より大きい第２の設定圧力値以上の圧力を感知した場合には、遮断弁部が調整弁部に替わり作動して、上流側管路からのガスを遮断する。そして、第１の圧力感知部が第２の設定圧力値より低い圧力を感知すると、遮断状態から遮断していない状態への復帰が自動的に行われる。
【００１２】
【発明の実施の形態】
以下、本発明の実施の形態について図面を参照して説明する。
【００１３】
図１は、本発明の一実施の形態に係る整圧装置１０の概略断面構成を表すものである。この整圧装置１０は、互いに隔てられた上流側管路１１と下流側管路１２との境界に設けられ、ガバナ１３、流量調整部１４、および流量制御部１５により構成されている。ガバナ１３は、下流側管路１２の異常昇圧を防止するための自動復帰型の遮断弁部を備えている。流量調整部１４は流量調整弁部を備えている。この流量調整弁部によって、上流側管路１１の圧力変動が感知され、この感知された圧力をもとにガバナ１３に伝達する下流側管路１２のガスの圧力が調整される。流量制御部１５は流量制御弁部を備えている。この流量制御弁部によって、下流側管路１２の圧力変動が感知され、この感知された圧力をもとにガバナ１３に伝達する下流側管路１２のガスの圧力が制御される。なお、ガバナ１３は本発明の「第１の弁手段」、流量調整部１４は本発明の「第２の弁手段」、流量制御部１５は本発明の「第３の弁手段」の一具体例にそれぞれ対応している。
【００１４】
ガバナ１３は、本体部２１の中にガスの流路２２を備えている。この流路２２は、入口２２ａがフランジ２２Ａ，１１Ｂ同士が連結されることにより上流側管路１１に接続され、出口２２ｂがフランジ部２２Ｂ，１２Ａ同士が連結されることによりで下流側管路１２に接続されると共に、出口２２ｂ側に狭管部２２Ｃを有している。流路２２には、入口２２ａ側と出口２２ｂ側との間に仕切部２３Ａ，２３Ｂが設けられている。この仕切部２３Ａ，２３Ｂの間には、空洞を有する筒体部２４が配設されている。筒体部２４の内部には弁部３０が設けられている。この弁部３０は、下流側管路１２へ送出されるガスの圧力を設定圧力値Ｐ１  （第１の設定圧力値）となるように調整し、下流側管路１２のガスの圧力が設定圧力値Ｐ１  よりも大きな設定圧力値Ｐ２  （第３の設定圧力値）以上になると上流側管路１１からのガスを遮断する機能を有するものである。弁部３０の上方には、この弁部３０を駆動するための駆動部４０と、この駆動部４０を制御するための圧力感知部５０とが設けられている。
【００１５】
弁部３０は、調整弁部３１および遮断弁部３２により構成されている。調整弁部３１は、筒体部２４で仕切部２３Ａ，２３Ｂより下方に設けられる弁座３１Ａと、駆動部４０に連動され、弁座３１Ａと所定の間隔をおいて上方に設けられる弁体３１Ｂとにより構成されている。この調整弁部３１は、駆動部４０によって弁体３１Ｂが上下に駆動され、弁体３１Ｂと弁座３１Ａとの間隔が調整されて下流側管路１２へのガスの圧力が設定圧力値Ｐ１  となるように調整するものである。一方、遮断弁部３２は、筒体部２４で仕切部２３Ａ，２３Ｂより上方に設けられる弁座３２Ａと、駆動部４０に連動され、弁座３２Ａと所定の間隔をおいて上方に設けられ、調整弁部３１の上方に調整ばね３３を介して接続される弁体３２Ｂとにより構成されている。この遮断弁部３２は、下流側管路１２のガスの圧力が設定圧力値Ｐ２  以上になると、駆動部４０によって、調整ばね３３が圧縮されることにより、弁体３２Ｂが弁座３２Ａに押し付けられて、下流側管路１２へのガスの送出を停止するものである。
【００１６】
なお、図示しないが、筒体部２４の側面には金網等からなる筒状ストレーナの一端が接続され、その他端は本体部２１の底部と接続されている。また、弁体３１Ｂの下方には、弁体３１Ｂに接続される弁棒、および、この弁棒に連動する連動子を介してバランスダイヤフラムが設けられている。バランスダイヤフラムは、流路２２の入口２２ａ側の圧力変動を感知することにより、この圧力変動により弁部３０が作動するために設定した零点がずれないように調整するものである。
【００１７】
駆動部４０は、一端が弁部３０と接続され、弁部３０を駆動する弁棒４１と、弁棒４１の他端と固定支軸４２を介して連設され、固定支軸４２を中心にして回動するレバー４３と、レバー４３の一端に接続される連動子４４とにより構成されており、連動子４４に接続されたレバー４３が固定支軸４２を中心として時計回りあるいは反時計回りに回動し、レバー４３に連設された弁棒４１が上方あるいは下方に動くことにより弁部３０を駆動するようになっている。
【００１８】
圧力感知部５０には、連動子４４の他端が固定され、連動子４４に感知した圧力を伝達するダイヤフラム５１が設けられている。圧力感知部５０は、このダイヤフラム５１によって２つの部屋、すなわち、駆動部４０側において下流側管路１２の圧力を制御する圧力制御室５２と、通気口（図示せず）を介して大気に連通された大気連通室５３とに分けられている。
【００１９】
圧力制御室５２と流路２２の狭管部２２Ｃの下流側との間には管路５７（第１の管路）が設けられており、圧力制御室５２に狭管部２２Ｃにおけるガスの圧力が伝達されるようになっている。圧力制御室５２と流路２２において管路５７よりも下流側に接続された管路５８（第２の管路）が設けられており、圧力制御室５２に下流側管路１２におけるガスの圧力が伝達されるようになっている。ダイヤフラム５１の大気連通室５３側には、開口部５４Ａを有する受圧板５４が設けられ、また、大気連通室５３のキャップ部５３Ａには調整ねじ５６が組み込まれている。この調整ねじ５６には調整ばね５５の一端が固定され、この調整ばね５５の他端側が受圧板５４の開口部５４Ａを介してダイヤフラム５１に固定されており、ダイヤフラム５１を圧力制御室５２方向に付勢している。なお、調整ばね５５の付勢力は、調整ねじ５６をキャップ部５３Ａにねじ込むことにより調整できるようになっている。
【００２０】
流量調整部１４は、管路６１（第３の管路）を備えている。この管路６１は、ガバナ１３の流路２２の入口２２ａ側とガバナ１３の本体部２１に設けられた溝部６２とを接続する。この溝部６２には、管路６１を通じて上流側管路１１の圧力を感知するための圧力感知部６３と、この感知された圧力を基に管路５７の流路面積を調整するための流量調整弁部６６が設けられている。
【００２１】
圧力感知部６３には、上流側管路１１のガスの圧力を感知するダイヤフラム
６４が設けられている。圧力感知部６３は、このダイヤフラム６４によって２つの部屋、すなわち、管路６１側において上流側管路１１の圧力が伝達される開室６２ａと、ガバナ１３側の閉室６２ｂとが設けられている。流量調整弁部６６には、一端が溝部６２の底部に設けられ、ダイヤフラム６４を付勢する調整ばね６５と、ダイヤフラム６４によって制御される流量調整弁６６ｂとが設けられている。この流量調整弁６６ｂは、本体部２１に設けられた細孔６６ａを介して管路５７に突出するようになっている。
【００２２】
この流量調整弁部６６は、管路６１を通じて伝達された上流側管路１１のガスの圧力がダイヤフラム６４によって感知され、この感知された圧力が高くなった場合には、流量調整弁６６ｂによって管路５７の流路面積が狭められ、逆に、ダイヤフラム６４で感知された圧力が低くなった場合には、流量調整弁６６ｂによって管路５７の流路面積が拡げられる機能を有するものである。
【００２３】
流量制御部１５は、管路５８を入口５８ａ側と出口５８ｂ側との間に仕切部７１Ａ，７１Ｂを備えている。この仕切部７１Ａ，７１Ｂの上端には弁座７２Ａが設けられ、この弁座７２Ａと所定の間隔をおいて上方に位置する弁体７２Ｂが設けられている。これら弁座７２Ａおよび弁体７２Ｂにより流量制御弁部７２が構成される。この流量制御弁部７２は、下流側管路１２のガスの圧力が設定圧力値Ｐ３  （第２の設定圧力値）以上になると遮断するものである。なお、設定圧力値Ｐ３  は、設定圧力値Ｐ１  よりも大きくて、かつ、設定圧力値Ｐ２  よりも小さい。流量制御弁７２の上方には、この流量制御弁部７２を駆動するための弁棒７４と、弁棒７４の他端に連接された連動子７５を介して、下流側管路１２の圧力を感知するための圧力感知部７３が設けられている。
【００２４】
圧力感知部７３には、管路５８に設けられた通孔５８ａを介して、下流側管路１２のガスの圧力が伝達される。圧力感知部７３は、連動子７５の他端が固定され、連動子７５に感知した圧力を伝達するダイヤフラム７６を備えている。圧力感知部７３は、このダイヤフラム７６によって２つの部屋、すなわち、弁棒７４側において下流側管路１２の圧力を制御する圧力制御室７７と、調整ばね７９が設けられた閉室７８とに分けられている。
【００２５】
ダイヤフラム７６の閉室７８側には、開口部８０Ａを有する受圧板８０が設けられ、また、閉室７８のキャップ部７３Ａには調整ねじ８１が組み込まれている。この調整ねじ８１には調整ばね７９の一端が固定され、この調整ばね７９の他端側が受圧板８０の開口部８０Ａを介してダイヤフラム７６に固定されており、ダイヤフラム７６を圧力制御室７８方向に付勢している。なお、調整ばね７９の付勢力は、調整ねじ８１をキャップ部７３Ａにねじ込むことにより調整できるようになっている。
【００２６】
次に、図２〜４および図１を参照して、このように構成された整圧装置１０の動作について説明する。なお、図２および図３の各図において、図（Ａ）は流量調整部１４の流量調整弁部６６付近を拡大したもの、図（Ｂ）は流量制御部１５の流量制御弁部７２付近を拡大したものをそれぞれ表している。なお、図４において、図（Ａ）および図（Ｂ）はガバナ１３の弁部３０付近を拡大したものを表している。整圧装置１０の動作は、上流側管路１１におけるガスの圧力によって、（１）上流側管路１１のガスの圧力が低下したときと、（２）上流側管路１１の圧力が上昇したときとに分けられる。
【００２７】
まず、（１）上流側管路１１のガスの圧力が低下したときの整圧装置１０の動作について説明する。このとき、上流側管路１１のガスの圧力低下に伴って、下流側管路１２のガスの圧力も低下する。このとき、図２（Ａ）に示したように、流量調整部１４において、管路６１を通じて上流側管路１１のガスの圧力が伝えられ、開室６２ａの圧力が低下し、ダイヤフラム６４が開室６２ａ側に変位する。この開室６２ａ側に変位したダイヤフラム６４に連動した流量調整弁６５ｂが開室６２ａ側に移動し、管路５７の流路面積が拡げられ、狭管部２２Ｃで低下されたガスの圧力がガバナ１３の圧力制御室５２に伝達されやすくなる。
【００２８】
このように流路２２の狭管部２２Ｃで低下されたガスの圧力が圧力制御室５２に伝達されると、図４（Ａ）に示したように、圧力制御室５２側の圧力は調整ばね５５の付勢力と大気による大気連通室５３側の圧力より小さくなり、ダイヤフラム５１が圧力制御室５２側に変位する。この圧力制御室５２側に変位したダイヤフラム５１に固定された連動子４４を介して、レバー４３が固定支軸４２を中心として時計回りに回動し、レバー４３に連設された弁棒４１が上方に動き、調整弁部３１の開度、すなわち弁体３１Ｂと弁座３１Ａとの間の間隔が大きくなり、下流側管路１２の低下した圧力が上昇して設定圧力値Ｐ１  に調整されるようになる。
【００２９】
このとき、下流側管路１２のガスの圧力は、設定圧力値Ｐ１  、あるいは、設定圧力値Ｐ１  よりも低下しており、流量制御部１５の設定圧力値Ｐ３  以下となっているので、流量制御弁１５の流量制御弁部７２は下流側管路１２のガスを遮断した状態にあり、下流側管路１２のガスの圧力はガバナ１３の圧力制御室５２に伝達されない。
【００３０】
次に、（２）上流側管路１１のガスの圧力が上昇したときの整圧装置１０の動作について説明する。このとき、上流側管路１１のガスの昇圧に伴って、下流側管路１２のガスの圧力も上昇する。このとき、図３（Ａ）に示したように、流量調整部１４において、管路６１を通じて上流側管路１１のガスの圧力が伝えられ、開室６２ａの圧力が上昇し、ダイヤフラム６４が閉室６２ｂ側に変位する。この閉室６２ｂ側に変位したダイヤフラム６４に連動した流量調整弁６６ｂが閉室６２ｂ側に移動し、管路５７の流路面積が狭められ、狭管部２２Ｃで低下した下流側管路１２のガスの圧力がガバナ１３の圧力制御室５２に伝達されにくくなる。
【００３１】
ここで、下流側管路１２のガスが流量制御部１５の設定圧力値Ｐ３  より大きくなっている場合には、図３（Ｂ）に示したように、流量制御部１５において、管路５８を通じて下流側管路１２のガスの高い圧力が伝えられ、通孔５８Ａを介して圧力制御室７７内の圧力が上昇し、ダイヤフラム７６が閉室７８側に変位する。この閉室７８側に変位したダイヤフラム７６によって、連動子７５を介して連動した弁棒７４が上方に駆動され、弁棒６４の下端に設けられた弁体７２Ａが上方に移動し、弁座７２Ｂから離れ、下流側管路１２のガスの昇圧がガバナ１３の圧力制御室５２に伝達されるようになる。
【００３２】
以上のように、圧力制御室５２には、流路２２の狭管部２２Ｃで低下したガスの圧力が伝達されにくくなると共に、下流側管路１２のガスの昇圧がガバナ１３の圧力制御室５２に伝達されるので、図４（Ａ）に示したように、圧力制御室５２側の圧力は調整ばね５５の付勢力と大気による大気連通室５３側の圧力より大きくなり、ダイヤフラム５１が大気連通室５３側に変位する。この大気連通室５３側に変位したダイヤフラム５１に固定された連動子４４を介して、レバー４３が固定支軸４２を中心として反時計回りに回動し、レバー４３に連設された弁棒４１が下方に動き、調整弁部３１の開度、すなわち弁体３１Ｂと弁座３１Ａとの間の間隔が小さくなり、下流側管路１２の上昇した圧力が低下して設定圧力値Ｐ１  に調整されるようになる。
【００３３】
なお、図４（Ｂ）に示したように、調整弁部３１の弁座３１Ａと弁体３１Ｂとの間に異物等が混入し、調整弁部３１が正常に作動しなくなり、下流側管路１２の圧力が遮断弁部３２の設定圧力Ｐ２  以上になると、遮断弁部３２における弁体３２Ｂが弁座３２Ａに押し付けられて、遮断弁部３２における弁体３２Ｂが弁座３２Ａに押し付けられて、下流側管路１２へガスの送出が停止される。なお、下流側管路１２のガスの圧力が設定圧力値Ｐ２  より低下すると、遮断弁部３２が遮断した状態から遮断していない状態への復帰が自動的に行われ、調整弁部３１に切り替わり、前述したように調整弁部３１によって下流側管路１２のガスの圧力が調整される。
【００３４】
このように本実施の形態では、流量調整部１４において、圧力感知部６３によって、管路６１を通じて上流側管路１１のガスの圧力が感知され、この感知された圧力を基に、流量調整弁部６６によって、管路５７のガスの流路面積を調整するようにしたので、上流側管路１２のガスの圧力変動、特に上流側管路１２のガスの圧力が上昇したときに柔軟に対応することができて、下流側管路１２の異常昇圧を容易に防止することができる。また、これにより、流量制御部１５の流量制御弁部７２を大口径化する必要性がなくなるので、装置の小型化を図ることが可能となる。
【００３５】
以上、実施の形態を挙げて本発明を説明したが、本発明は上記実施の形態に限定されるものではなく、種々変形が可能である。例えば、上記実施の形態の整圧装置の構成要素やその配置は図１に示したものに限られない。また、ダイヤフラム５１は直動式またはパイロット式を問わず利用可能である。更に、ガバナ１３の弁部３０を調整弁部３１と遮断弁部３２よりなるようにしたが、調整弁部３１のみよりなるようにしてもよい。
【００３６】
【発明の効果】
以上説明したように本発明の整圧装置によれば、流量調整部において、圧力感知部によって、第３の管路を通じて上流側管路のガスの圧力が感知され、この感知された圧力を基に、流量調整弁部によって、第１の管路のガスの流路面積を調整するようにしたので、上流側管路のガスの圧力変動、特に上流側管路のガスの圧力が上昇したときに柔軟に対応することができて、下流側管路の異常昇圧を容易に防止することができる。また、これにより、流量制御部の流量制御弁部を大口径化する必要性がなくなるので、装置の小型化を図ることが可能となる。
【図面の簡単な説明】
【図１】本発明の一実施の形態に係る整圧装置の概略構成を表す図である。
【図２】整圧装置の動作を説明するために要部を拡大した図である。
【図３】整圧装置の動作を説明するために要部を拡大した図である。
【図４】整圧装置の動作を説明するために要部を拡大した図である。
【図５】従来の整圧装置の概略構成を表す図である。
【符号の説明】
１０・・・  整圧装置、１１・・・  上流側管路、１２・・・  下流側管路、１３・・・  ガバナ、１４・・・  流量調整部、１５・・・  流量制御部、２１・・・  本体部、２２・・・  流路、２２ａ，５８ａ・・・  入口、２２ｂ，５８ｂ・・・  出口、１１Ｂ，１２Ａ，２２Ａ，２２Ｂ・・・  フランジ、２２Ｃ・・・  狭管部、２３Ａ，２３Ｂ，７１Ａ，７１Ｂ・・・  仕切部、２４・・・  筒体部、３０・・・  弁部、３１・・・  調整弁部、３１Ａ，３２Ａ，７２Ａ・・・  弁座、３１Ｂ，３２Ｂ，７２Ｂ・・・  弁体、３２・・・  遮断弁部、３３，５５，６５，７９・・・  調整ばね、４０・・・  駆動部、４１・・・  弁棒、４２・・・  固定支軸、４３・・・  レバー、４４・・・  連動子、５０，６３，７３・・・  圧力感知部、５１，６４，７６・・・  ダイヤフラム、５２，７７・・・  圧力制御室、５３・・・  大気連通室、５３Ａ，７３Ａ・・・  キャップ部、５４，８０・・・  受圧板、５４Ａ，８０Ａ・・・  開口部、５６，８０・・・  調整ねじ、５７，５８，６１・・・  管路、５８ａ・・・  通孔、６２・・・  溝部、６２ａ・・・  開室、６２ｂ，７８・・・  閉室、６６・・・  流量調整弁部、６６ａ・・・  細孔、６６ｂ・・・  流量調整弁、７２・・・  流量制御弁部
【図１】
0003602822.tif 000002
【図２】
0003602822.tif 000003
【図３】
0003602822.tif 000004
【図４】
0003602822.tif 000005
【図５】
0003602822.tif 000006